(57)【要約】【課題】放電容器の黒化を抑制して長寿命の電球形無電極蛍光ランプおよび無電極蛍光ランプ点灯装置を提供する。【解決手段】発光管１０１の凹入部１２０には、誘導コイル１０９の巻線１０３が巻き付けられたボビン１０４の巻線軸部１０４ａが挿入されている。この巻線軸部１０４ａには、複数の突起１０８，１０８，…が設けられていて、これらの突起１０８，１０８，…は、誘導コイル１０９の巻線１０３よりも凹入部１２０の壁面側に突き出している。そして、巻線軸部１０４ａの周方向において隣り合う突起１０８，１０８の角同士を結ぶ仮想的な線よりも誘導コイル１０９の巻線１０３の方が巻線軸部１０４ａ側に形成されている。【選択図】  図１
2004220918.tif 000002
【特許請求の範囲】
【請求項１】
管内に少なくとも水銀を含む発光ガスが封入され、略筒形状の凹入部を有する発光管と、
前記凹入部に挿入され巻線とコアとを有する誘導コイルと、
前記誘導コイルの前記巻線が巻き付けられた巻線軸部を有するボビンと、
前記誘導コイルに高周波電力を供給する点灯回路と、
前記点灯回路に電気的に接続された口金と
を備え、
前記発光管と前記誘導コイルと前記点灯回路と前記口金とは一体に構成されており、
前記巻線軸部には、前記凹入部の前記筒の壁面に向かって突出している突起が設けられ、
前記突起は、前記誘導コイルの前記巻線よりも前記筒の壁面側に突出している、電球形無電極蛍光ランプ。
【請求項２】
管内に少なくとも水銀を含む発光ガスが封入され、略筒形状の凹入部を有する発光管と、
前記凹入部に挿入され、導電線を巻いた巻線とコアとを有する誘導コイルと、
前記誘導コイルの巻線が巻き付けられた巻線軸部を有するボビンと、
前記誘導コイルに高周波電力を供給する点灯回路と、
前記点灯回路に電気的に接続された口金と
を備え、
前記発光管と前記誘導コイルと前記点灯回路と前記口金とは一体に構成されており、
前記誘導コイルの前記巻線は、隣り合う前記導電線の間の一部に前記巻線軸部の全周にわたって隙間を設けることによって当該巻線軸部の中心軸方向において分割して巻き付けられており、
前記巻線軸部には、前記隙間に対応する部分の少なくとも一部に隣り合う前記導電線同士を隔てるために前記凹入部の前記筒の壁面に向かって突出している突起が設けられ、
前記突起は、前記誘導コイルの前記巻線よりも前記筒の壁面側に突出している、電球形無電極蛍光ランプ。
【請求項３】
前記巻線軸部は、筒形状であり、
前記突起は、複数存し、
前記誘導コイルの前記巻線は、前記巻線軸部の周方向において隣り合う前記突起の角又は先端同士を結ぶ線よりも前記巻線軸部側に形成されている、請求項１または２に記載の電球形無電極蛍光ランプ。
【請求項４】
前記巻線軸部は、筒形状であり、
前記突起は、一部に切り欠きが形成された略円環状であり、前記巻線軸部の周方向に３２０度以上にわたって連続して形成されている、請求項１または２に記載の電球形無電極蛍光ランプ。
【請求項５】
前記誘導コイルの外表面と前記突起の先端との距離は、０．４ｍｍ以上１．０ｍｍ以下である、請求項１から４のいずれか一つに記載の電球形無電極蛍光ランプ。
【請求項６】
前記高周波電力は、周波数が５０ｋＨｚ以上１ＭＨｚ以下である、請求項１から５のいずれか一つに記載の電球形無電極蛍光ランプ。
【請求項７】
管内に少なくとも水銀を含む発光ガスが封入され、略筒形状の凹入部を有する発光管と、
前記凹入部に挿入された誘導コイルと、
前記誘導コイルが巻き付けられた巻線軸部を有するボビンと、
前記誘導コイルに高周波電力を供給する点灯回路と
を備え、
前記巻線軸部は、筒形状であり、前記凹入部の前記筒の壁面に向かって突出している複数の突起を有し、
前記突起は、前記誘導コイルよりも前記筒の壁面側に突出しており、
前記誘導コイルは、前記巻線軸部の周方向において隣り合う前記突起の角又は先端同士を結ぶ線よりも前記巻線軸部側に形成されている、無電極蛍光ランプ点灯装置。
【請求項８】
前記誘導コイルは、導電線を有し、隣り合う前記導電線の間の一部に前記巻線軸部の全周にわたって隙間を設けることによって当該巻線軸部の中心軸方向において分割して巻き付けられており、
前記突起は、前記巻線軸部の前記隙間に対応する部分に隣り合う前記導電線同士を隔てて設けられている、請求項７に記載の無電極蛍光ランプ点灯装置。
【請求項９】
管内に少なくとも水銀を含む発光ガスが封入され、略筒形状の凹入部を有する発光管と、
前記凹入部に挿入された誘導コイルと、
前記誘導コイルが巻き付けられた巻線軸部を有するボビンと、
前記誘導コイルに高周波電力を供給する点灯回路と
を備え、
前記巻線軸部は、筒形状であり、前記凹入部の前記筒の壁面に向かって突出している突起を有し、
前記突起は、前記誘導コイルよりも前記筒の壁面側に突出し、一部に切り欠きが形成された略円環状であり、前記巻線軸部の周方向に３２０度以上にわたって連続して形成されている、無電極蛍光ランプ点灯装置。
【請求項１０】
前記誘導コイルの外表面と前記突起の先端との距離は、０．４ｍｍ以上１．０ｍｍ以下である、請求項７から９のいずれか一つに記載の無電極蛍光ランプ点灯装置。
【請求項１１】
前記高周波電力は、周波数が５０ｋＨｚ以上１ＭＨｚ以下である、請求項７から１０のいずれか一つに記載の無電極蛍光ランプ点灯装置。
【発明の詳細な説明】
【０００１】
【発明の属する技術分野】
本発明は、電球形無電極蛍光ランプ及び無電極蛍光ランプ点灯装置に関し、特に、発光管の凹入部に、ボビンの巻線軸部に巻き付けられた誘導コイルが挿入されている電球形無電極蛍光ランプおよび無電極蛍光ランプ点灯装置に関する。
【０００２】
【従来の技術】
蛍光ランプは、白熱電球に比べて効率が高く、且つ長寿命であることから地球環境保護並びに経済性の観点から広く普及している。そして近年、電極の無い無電極蛍光ランプが、従来の有電極の蛍光ランプに比べて寿命が数倍も長いことから経済的な光源として注目され、需要が増加する傾向にある。
【０００３】
また、蛍光ランプと点灯回路とが一体化された電球形蛍光ランプが、住宅、ホテル、レストランなどで消費エネルギーが少ない光源として注目され、白熱電球に代えてそのまま利用できる手軽さもあり普及しつつある。この電球形蛍光ランプは、有電極の蛍光ランプに加えて、無電極の蛍光ランプについても開発されている（例えば、特許文献１および特許文献２）。
【０００４】
このような無電極蛍光ランプとして、特許文献１には、図１０に示す蛍光ランプが記載されている。この無電極蛍光ランプは、ガラス容器からなる放電容器８０１と、高周波を発生させる点灯回路８０５と、点灯回路ケースカバー８０８と、商用電源に接続するための電球口金８０４とを有している。放電容器８０１は、外観は略球形で、その底辺から内側に向かって円筒状に延びており、その円筒状部分の中にはフェライト８０６に巻かれた励起コイル８０７が設けられている。励起コイル８０７は、点灯回路８０５から高周波電圧を印加され、高周波電磁界を発生させて放電容器８０１内の放電気体を放電、紫外発光させる。この紫外光が放電容器８０１内面の蛍光体８０２を光らせる。放電容器８０１内面に設けられた光透過性の導電膜８０３は、高周波電磁界がランプの外側に洩れることを防いでいる。
【０００５】
【特許文献１】
特開平９−３２０５４１号公報
【特許文献２】
特開平１１−１０２６６７号公報
【０００６】
【発明が解決しようとする課題】
しかしながら、前記無電極蛍光ランプにおいて放電を効率よく行うために励起コイル８０７の径を大きくすると、点灯時間が増すにつれて放電容器８０１の円筒状部分に黒化が生じてしまい、ランプの寿命が短くなってしまう。特に、励起コイル８０７が円筒状部分に接触すると短時間で黒化が生じてしまう。
【０００７】
この黒化は、特許文献２に開示されているように、励起コイルの隣り合う線同士の電位差に起因して発生する高電界によって、プラズマ中のイオンなどが吸い寄せられて放電容器の内壁に衝突するために生じると考えられている。このような黒化が生じると、そこに放電気体中の水銀が固定されてしまって、時間が経つにつれて放電気体中の水銀の量が減っていき光量が減少するという問題が生じてしまう。
【０００８】
特許文献２に開示された技術では、励起コイルと放電容器の円筒状部分との間にシールド筒を挿入して電界を遮蔽して、この黒化を防止しているが、このシールド筒には渦電流が発生し電流損失が生じてしまう。特に、点灯周波数が数十ｋＨｚ〜数百ｋＨｚと比較的低い場合には、渦電流損失によってランプが点灯しにくくなる。特許文献２に示されたように、シールド筒にスリットを入れて渦電流を抑制しても、渦電流損失を零にすることはできず、前記の渦電流起因の現象を根絶させることはできない。
【０００９】
本発明はこのような事情に鑑みてなされたものであり、その目的とするところは、放電容器の黒化を抑制して長寿命の電球形無電極蛍光ランプおよび無電極蛍光ランプ点灯装置を提供することにある。
【００１０】
【課題を解決するための手段】
本発明による第１の電球形無電極蛍光ランプは、管内に少なくとも水銀を含む発光ガスが封入され、略筒形状の凹入部を有する発光管と、前記凹入部に挿入され巻線とコアとを有する誘導コイルと、前記誘導コイルの前記巻線が巻き付けられた巻線軸部を有するボビンと、前記誘導コイルに高周波電力を供給する点灯回路と、前記点灯回路に電気的に接続された口金とを備え、前記発光管と前記誘導コイルと前記点灯回路と前記口金とは一体に構成されており、前記巻線軸部には、前記凹入部の前記筒の壁面に向かって突出している突起が設けられ、前記突起は、前記誘導コイルの前記巻線よりも前記筒の壁面側に突出している。
【００１１】
本発明による第２の電球形無電極蛍光ランプは、管内に少なくとも水銀を含む発光ガスが封入され、略筒形状の凹入部を有する発光管と、前記凹入部に挿入され、導電線を巻いた巻線とコアとを有する誘導コイルと、前記誘導コイルの巻線が巻き付けられた巻線軸部を有するボビンと、前記誘導コイルに高周波電力を供給する点灯回路と、前記点灯回路に電気的に接続された口金とを備え、前記発光管と前記誘導コイルと前記点灯回路と前記口金とは一体に構成されており、前記誘導コイルの前記巻線は、隣り合う前記導電線の間の一部に前記巻線軸部の全周にわたって隙間を設けることによって当該巻線軸部の中心軸方向において分割して巻き付けられており、前記巻線軸部には、前記隙間に対応する部分の少なくとも一部に隣り合う前記導電線同士を隔てるために前記凹入部の前記筒の壁面に向かって突出している突起が設けられ、前記突起は、前記誘導コイルの前記巻線よりも前記筒の壁面側に突出している。
【００１２】
前記巻線軸部は、筒形状であり、前記突起は、複数存し、前記誘導コイルは、前記巻線軸部の周方向において隣り合う前記突起の角又は先端同士を結ぶ線よりも前記巻線軸部側に形成されていることが好ましい。なお、前記突起の角又は先端同士を結ぶ線は仮想的な線である。
【００１３】
また、前記巻線軸部は、筒形状であり、前記突起は、一部に切り欠きが形成された略円環状であり、前記巻線軸部の周方向に３２０度以上にわたって連続して形成されていることが好ましい。
【００１４】
前記誘導コイルの外表面と前記突起の先端との距離は、０．４ｍｍ以上１．０ｍｍ以下であればよい。
【００１５】
ある実施形態において、前記高周波電力は、周波数が５０ｋＨｚ以上１ＭＨｚ以下である。
【００１６】
本発明の第１の無電極蛍光ランプ点灯装置は、管内に少なくとも水銀を含む発光ガスが封入され、略筒形状の凹入部を有する発光管と、前記凹入部に挿入された誘導コイルと、前記誘導コイルが巻き付けられた巻線軸部を有するボビンと、前記誘導コイルに高周波電力を供給する点灯回路とを備え、前記巻線軸部は、筒形状であり、前記凹入部の前記筒の壁面に向かって突出している複数の突起を有し、前記突起は、前記誘導コイルよりも前記筒の壁面側に突出しており、前記誘導コイルは、前記巻線軸部の周方向において隣り合う前記突起の角又は先端同士を結ぶ線よりも前記巻線軸部側に形成されている。なお、前記突起の角又は先端同士を結ぶ線は仮想的な線である。
【００１７】
前記誘導コイルは、導電線を有し、隣り合う前記導電線の間の一部に前記巻線軸部の全周にわたって隙間を設けることによって当該巻線軸部の中心軸方向において分割して巻き付けられており、前記突起は、前記巻線軸部の前記隙間に対応する部分に隣り合う前記導電線同士を隔てて設けられていることが好ましい。
【００１８】
本発明の第２の無電極蛍光ランプ点灯装置は、管内に少なくとも水銀を含む発光ガスが封入され、略筒形状の凹入部を有する発光管と、前記凹入部に挿入された誘導コイルと、前記誘導コイルが巻き付けられた巻線軸部を有するボビンと、前記誘導コイルに高周波電力を供給する点灯回路とを備え、前記巻線軸部は、筒形状であり、前記凹入部の前記筒の壁面に向かって突出している突起を有し、前記突起は、前記誘導コイルよりも前記筒の壁面側に突出し、一部に切り欠きが形成された略円環状であり、前記巻線軸部の周方向に３２０度以上にわたって連続して形成されている。
【００１９】
前記誘導コイルの外表面と前記突起の先端との距離は、０．４ｍｍ以上１．０ｍｍ以下であればよい。
【００２０】
ある実施形態において、前記高周波電力は、周波数が５０ｋＨｚ以上１ＭＨｚ以下である。
【００２１】
【発明の実施の形態】
以下、本発明の実施の形態を、図面を参照しながら説明する。以下の図面においては、説明の簡素化のため、実質的に同一の機能を有する構成要素を同一の参照符号で示す。なお、本発明は、以下の実施形態に限定されない。
【００２２】
（実施形態１）
本実施形態の電球形無電極蛍光ランプは、図１に示すように、管内に少なくとも水銀を含む発光ガスが封入され、略筒形状（ここでは円筒形）の凹入部１２０を有する発光管１０１と、この凹入部１２０に挿入され、巻線１０３とコア（不図示）とを有する誘導コイル１０９と、この誘導コイル１０９の巻線１０３が巻き付けられた巻線軸部１０４ａを有するボビン１０４と、誘導コイル１０９に高周波電力を供給する点灯回路１０５と、商用電源に接続される口金１０７とを備え、さらに点灯回路１０５を収納するケース１０６とを有している。そして、発光管１０１と誘導コイル１０９とボビン１０４と点灯回路１０５と口金１０７とが一体に構成されている。
【００２３】
さらに、巻線軸部１０４ａには、凹入部１２０の筒の壁面に向かって突出している突起１０８，１０８，…が設けられており、これらの突起１０８，１０８，…は、誘導コイル１０９の巻線１０３よりも凹入部１２０の筒壁面側に突出している。
【００２４】
このような構成の無電極蛍光ランプとすることによって凹入部１２０の黒化を防止できること、換言すると、凹入部１２０と誘導コイル１０９との間にシールド筒を設けなくても、凹入部１２０と誘導コイル１０９との距離を適切に保つことで黒化が防止できることを本願発明者らは見出したのである。
【００２５】
突起１０８，１０８，…のない、単なる円筒形のボビン巻線軸部に導電線を巻き付けることによって誘導コイルを形成すると、ボビン、誘導コイルおよび凹入部のそれぞれの公差によっては、凹入部と誘導コイルとの距離を黒化が生じない距離に確実に保つことができないことがあり、この場合には黒化防止のためのシールド筒は必須のものである。ボビンを用いずにフェライトコアに導電線を巻き付けることによって誘導コイルを形成する場合も、凹入部と誘導コイルとの距離を黒化が生じない距離に確実に保つことは困難であって、同じようにシールド筒を用いなければならない。しかしながら、本発明では、ボビン１０４の巻線軸部１０４ａに突起１０８，１０８，…を設けることで黒化を確実に防止することができる。
【００２６】
この突起１０８，１０８，…についてさらに説明する。突起１０８，１０８，…は、直方体形状であって、図２（Ａ）のように、巻線軸部１０４ａの先端部分に、周方向に略等間隔で８個設けられ、凹入部１２０の筒の壁面に向かって巻線軸部１０４ａから垂直に突き出している。なお、巻線軸部１０４ａの内部には、誘導コイル１０９のインダクタンスを増加させるための円柱形のコア（フェライトコア）１３０が挿入されている。誘導コイル１０９の巻線１０３は、巻線軸部１０４ａの周方向に隣り合う二つの突起１０８，１０８の角同士を結ぶ仮想線１４０の内側、すなわちこの仮想線１４０よりも巻線軸部１０４ａ側に形成されている。ここで、巻線軸部１０４ａの周方向とは、筒形状である巻線軸部１０４ａの中心軸を回転軸とした回転方向のことである。
【００２７】
誘導コイル１０９の巻線１０３は、このように隣り合う二つの突起１０８，１０８の角同士を結ぶ仮想線１４０よりも巻線軸部１０４ａ側に形成されているので、ボビン１０４の巻線軸部１０４ａが凹入部１２０内で傾いても誘導コイル１０９の巻線１０３が凹入部１０２の壁面に接触する前にいずれかの突起１０８が凹入部１０２の壁面に当たり、それ以上誘導コイル１０９が凹入部１０２の壁面に近づくことを阻止する。つまり、突起１０８，１０８，…は、誘導コイル１０９の巻線１０３が凹入部１０２の壁面に接触することを防止している。従って、凹入部１０２の発光管１０１内側の壁面に黒化が生じることを確実に防止できる。
【００２８】
このように誘導コイル１０９の巻線１０３が、隣り合う二つの突起１０８，１０８の角同士を結ぶ仮想線１４０よりも巻線軸部１０４ａ側に形成されていれば、図３に示す本実施形態の変形例のように、突起１０８，１０８，…が巻線軸部１０４ａ周方向に等間隔に４個設けられている場合でも、誘導コイル１０９の巻線１０３が凹入部１０２の壁面に接触することを防止でき、凹入部１０２の発光管１０１内側の壁面に黒化が生じることを確実に防止できる。なお、このような突起形状の場合は、３個以上突起１０８，１０８，…があれば確実に黒化を防止できて好ましい。
【００２９】
さらに、図２（Ｂ）に示すように、本実施形態では、突起１０８，１０８，…の先端と誘導コイル１０９の外表面との距離Ｈは、０．４ｍｍ以上１．０ｍｍ以下の範囲内にある。ここで誘導コイル１０９の外表面というのは、誘導コイル１０９を構成する巻線１０３の凹入部１２０に面している表面である。本実施形態の導電線１２５には、高周波電流を流すため複数本の線を撚り合わせた撚り線を用いている。撚り線を巻線軸部１０４ａに巻き付けて誘導コイル１０９の巻線１０３を形成すると、撚り線は潰れて巻線軸部１０４ａの径方向においては、撚り線の径が小さくなる。従って、距離Ｈが０．４ｍｍよりも小さいと、撚り線の潰れ具合の少なさによっては、誘導コイル１０９の一部の導電線１２５が黒化を生じさせる距離にまで凹入部に近づくおそれがあり好ましくない。一方、距離Ｈが１．０ｍｍよりも大きくなると発光管１０１内の放電効率が低下するため好ましくない。
【００３０】
次に、本実施形態の電球形無電極蛍光ランプをさらに説明をする。なお、この電球形無電極蛍光ランプは、発光管１０１と誘導コイル１０９とボビン１０４と点灯回路１０５とを備えた無電極蛍光ランプ点灯装置でもある。
【００３１】
発光管１０１は、略球形の外管１１９と凹入部１２０を規定する内管とから構成されており、この凹入部１２０は、点灯回路１０５側に開口部を有する略筒形状（円筒形）を有している。ここで略筒形状というのは、凹入している端部が閉じている形状を有していることおよび外管１１９との接続部分がフレア状に開いている形状を有していること等を含む筒形状である。外管１１９の形状は、いわゆるナス型と呼ばれるような形状であって、例えば、ＪＩＳ  Ｃ  ７７１０−１９８８又はＩＥＣ  ６０８８７−１９８８において定義されたＡ型あるいはＰ型形状を挙げることができる。
【００３２】
この発光管１０１は、内部に発光物質としての水銀とバッファガスとしての希ガス（例えば、クリプトンまたはアルゴン）とを封入したガラスからなる容器である。発光管１０１中に、水銀は、液体またはアマルガムとして封入され、動作時のプラズマによって加熱され、その温度で規定される蒸気圧となる。発光管１０１の内容積は、例えば、１００〜２７０ｃｍ３であり、そして発光管１０１内には、２〜１０ｍｇの水銀、封入圧力５０〜３００Ｐａ（２５℃時）のクリプトンが封入されている。
【００３３】
この発光管１０１の内側（内壁）には、発光管１０１内の放電で発生した紫外線を可視光に変換するための蛍光体１０２が塗布されている。発光管１０１は、誘導コイル１０９を配置することができるような円筒形をした内管（凹入部１２０）と、蛍光体１０２が塗布された略球形をした外管１１９とを、内管の凹入外縁をバーナー等の炎で外管１１９の一部に融着することによって形成される。この融着した部分が封止部１１８であり、この封止部１１８には蛍光体１０２が塗布されていない。封止部１１８に蛍光体１０２が塗布されていないのは、発光管１０１作製の最後にこの部分を融着するため、蛍光体１０２を塗布することができないためである。
【００３４】
ここで、本実施形態における発光管１０１の寸法等を例示的に示すと、発光管１０１の中心の外径（すなわち、最も大きい部分の外径）は、５０〜９０ｍｍ（肉厚；約１ｍｍ）である。発光管１０１の高さ、および口金１０７を含む無電極蛍光灯の高さは、それぞれ、例えば、６０〜８０ｍｍ、１３０〜２４０ｍｍである。そして、発光管１０１の凹入部１２０の内径は、例えば、１６〜２６ｍｍである。  発光管１０１は、例えば、ソーダライムガラスから構成されているが、ホウ珪酸ガラス等で構成されていても構わない。
【００３５】
点灯回路１０５は、凹入部１２０内に位置する誘導コイル１０９の巻線１０３に接続しており、高周波電力を供給する。図１に示すように、発光管１０１内に効率的に放電を発生させるために、発光管１０１の略中心部分に、高周波電磁界を発生させる誘導コイル１０９が設けられている。また、高周波電源である点灯回路１０５が形成された回路基板は、ケース１０６に収納されており、口金１０７を通じて、外部から電力を供給される。
【００３６】
この口金１０７は、電球用のソケットへねじ込むことができる構造となっているので、ソケットへねじ込むだけで電球形無電極蛍光ランプを外部電源（例えば商用電源）に電気的に接続することができる。また、本実施形態の電球形無電極蛍光ランプは、単にソケットにねじ込んで使用できるだけではなく、白熱電球に近い大きさ及び外観であるので、白熱電球と同じ用途に使用することができ、白熱電球を直接代替することが可能である。
【００３７】
それから、ボビン１０４は、誘導コイル１０９を構成する導電線１０３が巻き付けられる巻線軸部１０４ａと、この巻線軸部１０４ａと略直角に配置され、巻線軸部１０４ａを支持する基体部１０４ｂとからなる。巻線軸部１０４ａは円筒形であって、凹入部１２０に挿入されている。また、基体部１０４ｂは巻線軸部１０４ａの口金１０７側の端から略直角に円盤状に拡がっており、発光管１０１と点灯回路１０５との間に配置されている。この基体部１０４ｂは凹入部１２０の中心軸を垂直にしたときに略水平の配置となっている。
【００３８】
さらに、点灯回路１０５の基板は、典型的にはプリント基板である。本実施形態では、点灯回路１０５の基板は、ボビン１０４の基体部１０４ｂと同様に凹入部１２０の中心軸を垂直にしたときに略水平に配置されている。なお、基体部１０４ｂと点灯回路１０５の基板とは略平行の配置となっている。
【００３９】
また、誘導コイル１０９と点灯回路１０５とを電気的に接続する接続配線１１０は、誘導コイル１０９を構成する巻線１０３の下端（基体部１０４ｂに最も近いところ）から巻線軸部１０４ａに沿って口金１０７側に延び、さらに基体部１０４ｂの発光管１０１側表面に沿って発光管１０１の中心軸（凹入部１２０の中心軸と略一致する）から遠ざかる方向に延びる。そして、基体部１０４ｂの外縁近傍において、接続配線１１０は基体部１０４ｂを貫通し、さらに回路基板にまで延びて点灯回路１０５に接続している。
【００４０】
この接続配線１１０は、外管１１９と凹入部１２０との封止部１１８から離間するように配置されている。発光管１０１は、ケース１０６の口金１０７とは反対側の端部である上端１０６ａに支持されていて、ボビン１０４の基体部１０４ｂに沿っている接続配線１１０を外管１１９と凹入部１２０との封止部１１８から離間するように、ケース上端１０６ａが発光管１０１を持ち上げている。ここでは、接続配線１１０は誘導コイル１０９の端部から延びている誘導コイル１０９自身を構成する導電線１２５であるが、接続配線１１０はこのような誘導コイル１０９の一部であることに限定されず、点灯回路１０５と誘導コイル１０９とを電気的に接続するものであればどのようなものでもよい。ここで、接続配線１１０が、封止部１１８から離間するように配置されているのは、封止部１１８の内壁が黒化することを防止するためである。さらに、この接続配線１１０と封止部１１８との隙間には、絶縁性かつ高耐熱性のシリコーンなどを塗布すると、確実に距離を確保することができるので好ましい。
【００４１】
前記ケース１０６は、耐熱性の材料から構成されており、本実施形態では、耐熱性の樹脂（例えば、ポリブチレンテレフタレート）から構成されている。また、より放熱性を向上させるために、熱伝導性に優れた材料（例えば、金属など）からケース１０６を構成することも可能である。
【００４２】
次に、本実施形態の電球形無電極蛍光ランプの動作を簡単に説明する。口金１０７を介して、商用交流電力が供給されると、点灯回路１０５は、商用交流電力を高周波交流電力に変換して、誘導コイル１０９に供給する。点灯回路１０５が供給する高周波電力の周波数は、例えば、５０ｋＨｚ〜１ＭＨｚであり、そして、供給する電力は、例えば、５〜２００Ｗである。誘導コイル１０９が高周波電力の供給を受けると、その近傍の空間に高周波交流磁界を形成する。すると、当該高周波交流磁界に直交するように誘導電界が生じ、発光管１０１の内部の発光ガスが励起発光し、その結果、紫外域もしくは可視域の発光が得られる。紫外域の発光は、発光管１０１の内壁に形成された蛍光体１０２によって、可視域の発光（可視光）に変換される。なお、蛍光体１０２を形成せずに、紫外域の発光（または、可視域の発光）をそのまま利用するランプを構成することも可能である。紫外域の発光は、主として、水銀から生じる。詳述すると、発光管１０１に近接させた誘導コイル１０９に高周波電流を流した場合、電磁誘導による磁力線によって形成された誘導電界により、発光管１０１内の水銀原子と電子との衝突が起き、それにより、励起した水銀原子から紫外線が得られる。
【００４３】
ここで、点灯回路１０５が供給する交流電流の周波数について説明する。本実施形態において、点灯回路１０５が供給する交流電流の周波数は、実用的に一般的に使用されているＩＳＭ帯の１３．５６ＭＨｚまたは数ＭＨｚと比べると、１ＭＨｚ以下（例えば、５０ｋＨｚ〜１ＭＨｚ）の比較的低い周波数の領域である。この低周波数領域の周波数を使用する理由を述べると、次の通りである。まず、１３．５６ＭＨｚまたは数ＭＨｚのような比較的高い周波数領域で動作させる場合、点灯回路１０５から発生するラインノイズを抑制するためのノイズフィルタが大型となり、点灯回路１０５の体積が大きくなってしまう。また、ランプから放射または伝播されるノイズが高周波ノイズの場合、高周波ノイズには非常に厳しい規制が法令にて設けられているため、その規制をクリアーするには、高価なシールドを設けて使用する必要があり、コストダウンを図る上で大きな障害となる。一方、５０ｋＨｚ〜１ＭＨｚ程度の周波数領域で動作させる場合には、点灯回路１０５を構成する部材として、一般電子機器用の電子部品として使用されている安価な汎用品を使用することができるとともに、寸法の小さい部材を使用することが可能となるため、コストダウンおよび小型化を図ることができ、利点が大きい。ただし、本実施形態の電球形無電極蛍光ランプは、１ＭＨｚ以下の動作に限らず、１３．５６ＭＨｚまたは数ＭＨｚ等の周波数の領域においても動作させ得るものである。
【００４４】
本実施形態の構成によれば、ボビン１０４の巻線軸部１０４ａに突起１０８，１０８，…を設け、その突起１０８，１０８，…を誘導コイル１０９の巻線１０３よりも凹入部１２０の壁面に向かって高く突出させているので、誘導コイル１０９の巻線１０３が凹入部１２０に接触することが阻止され、この電球形無電極蛍光ランプを点灯させたときに凹入部１２０の内壁に黒化が生じることが防止される。また、巻線軸部１０４ａの周方向において隣り合う突起１０８，１０８の角同士を結ぶ仮想線１４０よりも誘導コイル１０９の巻線１０３が巻線軸部１０４ａ側に設けられているので、巻線軸部１０４ａが凹入部１２０内で傾いても誘導コイル１０９の巻線１０３が凹入部１２０に接触することを確実に阻止できる。この突起１０８，１０８，…はボビン１０４と一体に形成すればよいので、低コストで製造できる。
【００４５】
（実施形態２）
本実施形態の電球形無電極蛍光ランプは、図４に示すように、分割巻された誘導コイル１０９を備えたものである。分割巻とは、導電線１２５を巻線軸部１０４ａに巻き付けて誘導コイル１０９の巻線１０３を形成していく途中で、隣り合う導電線１２５の間に巻線軸部１０４ａの全周にわたって隙間を設けてさらに巻き進めていく巻き方のことで、本実施形態では、巻線軸部１０４ａの中心軸方向において３つに分割されて巻かれている。そして、これらの隙間の部分には、図５に示すように、巻線軸部１０４ａの全周のうち２箇所に切り欠きを有し、鍔状に巻線軸部１０４ａから突出した突起２０８ａ，２０８ｂ，２０８ａ，２０８ｂが形成されており、これらの突起２０８ａ，２０８ｂ，２０８ａ，２０８ｂが隣り合う導電線１０３同士を隔てており、誘導コイル１０９よりも凹入部１２０の筒壁面側に突出している。そして、これらの突起２０８ａ，２０８ｂ，２０８ａ，２０８ｂの突出高さは、周方向にわたって略一定の高さである。図４における上と下の二つの突起２０８ａ，２０８ｂ，２０８ａ，２０８ｂは、同じ形状を有していて、２つの切り欠きが形成された略円環状ということができる。また、２箇所の切り欠き部分には、分割されたコイル同士を接続する導電線１２５が配置されている。この切り欠きを挟んで隣り合う二つの突起２０８ａ，２０８ｂの角同士を結んだ仮想的な線よりも誘導コイル１０９の巻線１０３は、巻線軸部１０４ａ側に設けられている。
【００４６】
このように分割巻にすると、誘導コイル１０９全体に印加される電圧が高い電圧であっても、各分割された部分にはその分割数に応じて低い電圧となって印加される。すなわち、本実施形態では、３分割されているので、全体の電圧の１／３の電圧が各分割されたコイルに印加され、そのため絶縁破壊が生じにくくなる。このように分割巻を行うこと自体に効果があり、本実施形態では、この分割を行うための分離帯（分割壁）を誘導コイル１０９の巻線１０３が凹入部１２０に接触することを防止する突起２０８ａ，２０８ｂ，２０８ａ，２０８ｂとしても使用している。従って、構成部品を増やすことなく双方の効果が得られ、トータルのコストを下げることができる。
【００４７】
これらの突起２０８ａ，２０８ｂ，２０８ａ，２０８ｂの先端と誘導コイル１０９の外表面との距離は、０．４ｍｍ以上１．０ｍｍ以下の範囲内にある。従って、誘導コイル１０９の巻線１０３が凹入部１２０に接触することを確実に防止でき、放電効率も高くできる。
【００４８】
本実施形態の構成によれば、巻線軸部１０４ａに設けられた分割巻の分離帯部分が誘導コイル１０９を構成する巻線１０３よりも凹入部１２０側に突出した突起２０８ａ，２０８ｂ，２０８ａ，２０８ｂとして機能し、誘導コイル１０９の巻線１０３が凹入部１２０に接触することが阻止されて、この電球形無電極蛍光ランプを点灯させたときに凹入部１２０の内壁に黒化が生じることが防止される。
【００４９】
なお、本実施形態の電球形無電極蛍光ランプは、発光管１０１と誘導コイル１０９とボビン１０４と点灯回路１０５とを備えた無電極蛍光ランプ点灯装置でもある。
【００５０】
（実施形態３）
本実施形態の電球形無電極蛍光ランプに用いられるボビン１０４を図６に示す。本実施形態の電球形無電極蛍光ランプは、ボビン１０４に設けられた突起３０８以外の部分は実施形態１と同じであるので、主に突起３０８について説明をする。
【００５１】
本実施形態の電球形無電極蛍光ランプに用いられるボビン１０４の巻線軸部１０４ａには、基体部１０４ｂとは反対側の端に突起３０８が設けられている。この突起３０８は、巻線軸部１０４ａの端部に円板を取り付けた形状に形成されている。この円板は、巻線軸部１０４ａと同軸に配置され、円板の径は巻線軸部１０４ａの筒径よりも大きい。この突起３０８は、巻線軸部１０４ａに誘導コイル１０９の巻線１０３を設けたときに、この誘導コイル１０９の巻線１０３よりも凹入部１２０の壁面に向かって突出している。従って、誘導コイル１０９の巻線１０３が凹入部１２０に接触することを確実に防止でき、黒化を確実に防止できる。
【００５２】
また、この突起３０８の先端と誘導コイル１０９の外表面との距離は、０．４ｍｍ以上１．０ｍｍ以下の範囲内にある。従って、誘導コイル１０９が凹入部１２０に接触することを確実に防止でき、放電効率も高くできる。
【００５３】
なお、本実施形態では、突起３０８は円板を取り付けた形状としているが、円板の代わりにリングを巻線軸部１０４ａに取り付けた形状としてもよい。このときリングの内径は巻線軸部１０４ａの筒径に等しい。
【００５４】
（実施形態４）
本実施形態の電球形無電極蛍光ランプに用いられるボビン１０４を図７に示す。本実施形態の電球形無電極蛍光ランプは、ボビン１０４に設けられた突起４０８ａ，４０８ｂ以外の部分は実施形態１と同じであるので、主に突起４０８ａ，４０８ｂについて説明をする。
【００５５】
本実施形態の電球形無電極蛍光ランプに用いられるボビン１０４の巻線軸部１０４ａの基体部１０４ｂとの接続部分には、突起４０８ａ，４０８ｂが設けられている。これらの突起４０８ａ，４０８ｂは、巻線軸部１０４ａの基体部１０４ｂとの接続部分にドーナツ形状の穴あき円板を填め込んで、その穴あき円板の２箇所を切り欠いた形状を有している。つまり、巻線軸部１０４ａの全周にわたって一定の突き出し量で鍔上に設けられた円環状の板に２箇所の切り欠きを設けた形状である。この切り欠き部分は、誘導コイル１０９と点灯回路１０５とを接続する接続線が配置される場所である。また、この切り欠きを挟んで隣り合う二つの突起４０８ａ，４０８ｂの角同士を結んだ仮想的な線よりも誘導コイル１０９の巻線１０３は、巻線軸部１０４ａ側に設けられる。これらの突起４０８ａ，４０８ｂは、巻線軸部１０４ａに誘導コイル１０９の巻線１０３を設けたときに、この誘導コイル１０９の巻線１０３よりも凹入部１２０の壁面に向かって突出している。従って、誘導コイル１０９の巻線１０３が凹入部１２０に接触することを確実に防止でき、黒化を確実に防止できる。
【００５６】
また、これらの突起４０８ａ，４０８ｂの先端と誘導コイル１０９の外表面との距離は、０．４ｍｍ以上１．０ｍｍ以下の範囲内にある。従って、誘導コイル１０９の巻線１０３が凹入部１２０に接触することを確実に防止でき、放電効率も高くできる。
【００５７】
（実施形態５）
本実施形態の電球形無電極蛍光ランプに用いられるボビン１０４を図８に示す。本実施形態の電球形無電極蛍光ランプは、ボビン１０４に設けられた突起５０８，５０８，…以外の部分は実施形態２と同じであるので、主に突起５０８，５０８，…について説明をする。
【００５８】
本実施形態の電球形無電極蛍光ランプに用いられるボビン１０４は、分割巻用のボビン１０４であって、分割されたコイル同士を隔てるために、コイル間の隙間部分に突起５０８，５０８，…が設けられ、分離帯部分（分割壁）として用いられている。ここでは、分離帯部分は２つである。これらの突起５０８，５０８，…は、各分割の隙間毎に４個ずつ設けられて、巻線軸部１０４ａの軸を中心として９０度ずつ隔たっている。また、巻線軸部１０４ａの周方向において隣り合う突起５０８，５０８は、異なる分割壁に属するもの同士であって、ここでは巻線軸部１０４ａの軸を中心として４５度隔たっている。これらの突起５０８，５０８，…は、巻線軸部１０４ａの軸に垂直な面内において半円形状の先端を有している。従って、このボビン１０４に誘導コイル１０９の巻線１０３を形成したときには、巻線軸部１０４ａの周方向において隣り合う突起５０８，５０８の先端同士を結んだ仮想的な線よりも巻線軸部１０４ａ側に誘導コイル１０９の巻線１０３が形成される。このため、誘導コイル１０９の巻線１０３が凹入部１２０に接触することを確実に防止でき、黒化を確実に防止できる。
【００５９】
これらの突起５０８，５０８，…の先端と誘導コイル１０９の外表面との距離は、０．４ｍｍ以上１．０ｍｍ以下の範囲内にある。従って、誘導コイル１０９の巻線１０３が凹入部１２０に接触することを確実に防止でき、放電効率も高くできる。
【００６０】
（実施形態６）
本実施形態の電球形無電極蛍光ランプに用いられるボビン１０４を図９に示す。本実施形態の電球形無電極蛍光ランプは、ボビン１０４に設けられた突起６０８，６０８以外の部分は実施形態２と同じであるので、主に突起６０８，６０８について説明をする。
【００６１】
本実施形態の電球形無電極蛍光ランプに用いられるボビン１０４は、分割巻用のボビン１０４であって、分割されたコイル同士を隔てるために、コイル間の隙間部分に突起６０８，６０８が設けられ、分離帯部分（分割壁）として用いられている。ここでは、分離帯部分は２つである。これらの突起６０８，６０８は、それぞれ一部に切り欠きが形成された略円環状であり、巻線軸部１０４ａの周方向に３２０度以上の角度α（ここでは３３０度）にわたって連続して形成されている。つまり、突起６０８，６０８は、穴あき円板の一部を切り取った形状であり、筒形状である巻線軸部１０４ａの中心軸を回転軸とした回転方向に、角度αにわたって略一定の突出量で突出し続けている。この略一定の突出量とは、巻線軸部１０４ａに誘導コイル１０９を構成する巻線１０３が形成されたときに、誘導コイル１０９の巻線１０３よりも高く突き出ている突出量のことである。また、突起６０８，６０８が設けられていない（３６０−α）度分の部分では、当該部分の両端の突起６０８，６０８の角部を結んだ仮想線１４０よりも巻線軸部１０４ａ側に誘導コイル１０９を構成する巻線１０３が設けられる。
【００６２】
本実施形態の電球形無電極蛍光ランプは、突起６０８，６０８が３２０度以上にわたって巻線軸部１０４ａの周方向に連続して設けられており、その突出高さは誘導コイル１０９を構成する巻線１０３の巻厚みよりも大きいので、誘導コイル１０９の巻線１０３が凹入部１２０に接触することを確実に防止でき、黒化を確実に防止できる。突起６０８，６０８の設けられているのが３２０度よりも少ない領域であると、誘導コイル１０９の巻線１０３が凹入部１２０に近づきすぎて黒化が発生するおそれがあり好ましくない。また、突起６０８，６０８が分割巻の分割壁を兼ねているので、低コストで製造できる。
【００６３】
また、これらの突起６０８，６０８の先端と誘導コイル１０９の外表面との距離は、０．４ｍｍ以上１．０ｍｍ以下の範囲内にある。従って、誘導コイル１０９の巻線１０３が凹入部１２０に接触することを確実に防止でき、放電効率も高くできる。
【００６４】
これまで説明した実施形態は、本発明の例であるので本発明は他の形態であっても構わない。例えば、突起の数は８より多くてもよいし、５〜７個であっても構わない。分割巻の分割数も３よりも多くてもよいし、２であっても構わない。突起形状も上記の形状に限定されず、半球形や三角形などでもよい。また、突起は巻線軸部から垂直に突出している必要は無く、傾斜して突出していてもよい。誘導コイルは、巻線軸部に一重に巻き付けられていてもよいし、二重以上に上層に積み重ねて巻き付けても構わない。また、上記突起が形成されていれば、それ以外の例えば誘導コイルの巻厚みよりも低い突起を形成しても構わない。
【００６５】
なお、上述の実施の形態では、蛍光ランプの場合について記載しているが、例えば、金属ハロゲン化物と水銀とを封入した高輝度放電ランプであっても、水銀がランプのガラス管と反応して黒化することを防止することができ、蛍光ランプの場合と同様の効果が得られる。
【００６６】
【発明の効果】
本発明は、以上説明したような形態で実施され、以下に述べる効果を奏する。
【００６７】
ボビンの巻線軸部に誘導コイルよりも凹入部側に突出している突起を設けているので、誘導コイルが発光管の凹入部の壁面に接触することが抑制され、発光管内の黒化が防止できる。
【図面の簡単な説明】
【図１】本発明の実施形態１に係る電球形無電極蛍光ランプの模式的な破砕断面図である。
【図２】（ａ）は、実施形態１のボビンを図１の上から見た図であり、（ｂ）は（ａ）の一部を拡大した図である。
【図３】実施形態１の変形例に係るボビンを上から見た図である。
【図４】本発明の実施形態２に係る電球形無電極蛍光ランプの模式的な破砕断面図である。
【図５】実施形態２のボビンを図４の上から見た図である。
【図６】本発明の実施形態３に係る電球形無電極蛍光ランプのボビンの、（ａ）正面図、（ｂ）上面図である。
【図７】本発明の実施形態４に係る電球形無電極蛍光ランプのボビンの、（ａ）正面図、（ｂ）上面図である。
【図８】本発明の実施形態５に係る電球形無電極蛍光ランプのボビンの、（ａ）正面図、（ｂ）上面図である。
【図９】本発明の実施形態６に係る電球形無電極蛍光ランプのボビンの、（ａ）正面図、（ｂ）上面図である。
【図１０】特許文献１に記載された従来の電球形無電極蛍光ランプの模式的な破砕断面図である。
【符号の説明】
１０１            発光管
１０３            導電線
１０４            ボビン
１０４ａ          巻線軸部
１０５            点灯回路
１０７            口金
１０８            突起
１０９            誘導コイル
１２０            凹入部
１４０            突起の角同士を結ぶ線
２０８ａ，ｂ      突起
３０８            突起
４０８ａ，ｂ      突起
５０８            突起
６０８            突起
【図１】
2004220918.tif 000003
【図２】
2004220918.tif 000004
【図３】
2004220918.tif 000005
【図４】
2004220918.tif 000006
【図５】
2004220918.tif 000007
【図６】
2004220918.tif 000008
【図７】
2004220918.tif 000009
【図８】
2004220918.tif 000010
【図９】
2004220918.tif 000011
【図１０】
2004220918.tif 000012